(57)【要約】【課題】特に（高温での）動粘度と（低温での）ブルックフィールド粘度の厳しい条件を満たす伝達流体として使用するための代替潤滑組成物を提供すること。【解決手段】本発明は、フィッシャー−トロプシュ由来基油を含む基油および１種以上の添加剤を含み、１００℃で少なくとも３．６ｃＳｔの動粘度（ＡＳＴＭ  Ｄ４４５準拠）、−４０℃で１０，０００ｍＰａｓ未満のブルックフィールド粘度（ＤＩＮ５１３９８準拠）を有し、組成物の全重量に基づいて１．０重量％未満のＶＩ向上剤を含む潤滑組成物を提供する。【選択図】なし【特許請求の範囲】
【請求項１】
基油および１種以上の添加剤を含む潤滑組成物であって、基油がフィッシャー−トロプシュ由来基油を含み、ならびに油滑組成物が、
−１００℃で少なくとも３．６ｃＳｔの動粘度（ＡＳＴＭ  Ｄ４４５準拠）、
−−４０℃で１０，０００ｍＰａｓ未満のブルックフィールド粘度（ＤＩＮ５１３９８準拠）
を有し、組成物の全重量に基づいて１．０重量％未満のＶＩ向上剤を含む潤滑組成物。
【請求項２】
基油が、ＩＩまたはＩＩＩ群の基油、好ましくはＩＩＩ群の基油の要件を満たす、請求項１に記載の潤滑組成物。
【請求項３】
ＶＩ向上剤が少なくとも３００の平均分子量（特にＤＩＮ５５６７２−１に準拠するゲルパーミエーションクロマトグラフィーで測定して）の分子量を有し、ならびにポリイソアルキレン成分のオレフィンコポリマー、ポリアルキルメタクリレート、スチレンマレイン酸エステルおよびこれらの組合せからなる群から選択される、請求項１または２に記載の潤滑組成物。
【請求項４】
１００℃で少なくとも３．７、好ましくは少なくとも３．９、より好ましくは少なくとも４．１、さらに好ましくは少なくとも４．２、最も好ましくは少なくとも４．５ｃＳｔの動粘度（ＡＳＴＭ  Ｄ４４５準拠）を有する、請求項１から３のいずれか一項に記載の潤滑組成物。
【請求項５】
−４０℃で９０００ｍＰａｓ未満、好ましくは８０００ｍＰａｓ未満、より好ましくは７０００ｍＰａｓ未満、さらにより好ましくは６０００ｍＰａｓ未満のブルックフィールド粘度を有する、請求項１から４のいずれか一項に記載の潤滑組成物。
【請求項６】
基油が、１００℃で少なくとも３．０ｃＳｔ、より好ましくは少なくとも３．５、より好ましくは少なくとも４．０ｃＳｔの動粘度（ＡＳＴＭ  Ｄ４４５準拠）を有する、請求項１から５のいずれか一項に記載の潤滑組成物。
【請求項７】
組成物の全重量に基づいて、０．５重量％未満、好ましくは０．１重量％未満、より好ましくは０．０５重量％未満のＶＩ向上剤を含み、最も好ましくはＶＩ向上剤を全く含まない、請求項１から６のいずれか一項に記載の潤滑組成物。
【請求項８】
組成物の全重量に基づいて、０．３重量％未満、好ましくは０．１未満の流動点降下剤を含み、より好ましくは流動点降下剤を全く含まない、請求項１から７のいずれか一項に記載の潤滑組成物。
【請求項９】
基油が、５０重量％を超え、好ましくは６０重量％を超え、より好ましくは７０重量％を超え、さらにより好ましくは８０重量％を超え、最も好ましくは９０重量％を超えるフィッシャー−トロプシュ由来基油を含む、請求項１から８のいずれか一項に記載の潤滑組成物。
【請求項１０】
２０重量％未満、好ましくは１０未満、より好ましくは５未満、さらに好ましくは３未満、特に好ましくは２未満、より一層好ましくは１未満のＩＶ群の基油を含み、最も好ましくは０重量％のＩＶ群の基油を含む、請求項１から９のいずれかの一項に記載の潤滑組成物。
【請求項１１】
ＣＥＣ−Ｌ−４５−Ａ−９９に準拠する２０時間ＫＲＬ試験で評価して、５％未満、好ましくは２％未満、より好ましくは１．０％未満、最も好ましくは０．５％未満の剪断損失を有する、請求項１から１０のいずれか一項に記載の潤滑組成物。
【請求項１２】
剪断安定度（特にＣＥＣ−Ｌ−４５−Ａ−９９準拠）および燃費特性の１つ以上を改善するための、請求項１から１１のいずれか一項に記載の潤滑組成物の、特に伝達流体としての使用。
【発明の詳細な説明】
【技術分野】
【０００１】
本発明は、伝達流体（しかしこれに限定されない）としての特定の用途の基油および１種以上の添加物を含む潤滑組成物に関する。
【背景技術】
【０００２】
伝達流体は当業者に周知であり、自動車産業において、たとえば、自動変速装置（ＡＴＦ）、手動変速装置（ＭＴＦ）、二段クラッチ変速装置（ＤＣＴ）、連続可変式変速装置（ＣＶＴ）、動力分配装置（ＴＣ）、車軸、水力およびパワーステアリング装置に使用されている。伝達流体はまた、様々な産業の応用分野において潤滑、動力分配装置および他の目的に用いることができる。
【０００３】
通常、伝達流体は基油（通常、基油の混合物からなる）、粘度指数（ＶＩ）向上剤（増粘剤などの）、ならびに、たとえば酸化、さび、腐食、摩耗、（微小）孔食、スカッフィング、発泡などに対して保護を与えるための、ならびに、汚染処理、レオロジー特性、臭気および色などの特性の改良のための１種以上の性能改善用添加剤を含有する性能改善用添加剤パッケージを含む。
【０００４】
ＥＰ−Ａ−１５５３１５８に開示された実施例に関しては、ＶＩ向上剤が、比較的高い分子量、またはオレフィンコポリマー、ポリアルキルメタクリレートおよびスチレンマレイン酸エステルなどの代替増粘剤を有するポリイソアルキレン成分であってもよい。ＥＰ−Ａ−１５５３１５８の実施例（パラグラフ［００８４］の表を参照）において示されるように、６．５から８．０重量％のＶＩ向上剤を使用すると４．０１ｃＳｔから５．２ｃＳｔ以上の動粘度（１００℃での）の増加を結果として生じる。
【０００５】
上記または他のＶＩ向上剤（または増粘剤）の使用の欠点は、動作中、これらの成分を使用すると流体の剪断安定度の低下、すなわち、流体の永久的な粘性低下をもたらすことである。剪断安定度の低下もまた、流動点降下剤として組成物に添加されるＶＩ向上剤について観察される。後者のＶＩ向上剤の例はポリアルキルメタクリレートを含むが、これに限定されない。
【０００６】
しかし、ブルックフィールド粘度（たとえば−４０℃での）についての厳しい要求と組み合わせて、動粘度（たとえば１００℃での）についての厳しい要求を満たすために、相当な量のＶＩ向上剤を使用しないで鉱物性基油で伝達流体を配合することは疑問である。例として、前述のＥＰ−Ａ−１５５３１５８（「基準線１」および「基準線１Ａ」）に開示されるようなＶＩ向上剤を含まない基準流体は、１００℃で４．０１ｃＳｔの動粘度および−４０℃で１７，０００のブルックフィールド粘度を示す。
【０００７】
この点において、たとえば最新式の自動変速装置流体、最新式の二段湿式クラッチ流体、最新式のＣＶＴ流体または最新式の動力分配装置流体について、−４０℃で１７，０００ｍＰａｓのブルックフィールド粘度が不都合な高い値であることは当業者にはわかるものと留意される。
【先行技術文献】
【特許文献】
【０００８】
【特許文献１】欧州特許出願公開第１５５３１５８号明細書
【発明の概要】
【発明が解決しようとする課題】
【０００９】
本発明は、上記の問題または他の問題を最小限に抑えることを目的とする。
【００１０】
本発明の別の目的は、特に（高温での）動粘度と（低温での）ブルックフィールド粘度の厳しい条件を満たす伝達流体として使用するための代替潤滑組成物を提供することである。
【課題を解決するための手段】
【００１１】
１つ以上の上記または他の目的は、フィッシャー−トロプシュ由来基油を含む基油および１種以上の添加剤を含み、
−１００℃（ＡＳＴＭ  Ｄ４４５準拠）で少なくとも３．６ｃＳｔの動粘度、
−−４０℃（ＤＩＮ５１３９８準拠）で１０，０００ｍＰａｓ未満のブルックフィールド粘度
を有し、組成物の全重量に基づいて１．０重量％未満のＶＩ向上剤を含む潤滑組成物を提供することによって本発明により得ることができる。
【００１２】
本発明の重要な利点は、改善された剪断安定度特性に加えて、望ましい燃費特性を得ることができることである。後者は、本発明による潤滑組成物の比較的低い動粘度（４０℃から１００℃の範囲での）の結果である。
【００１３】
さらなる本発明の利点は、ＩＶ群の基油（ＰＡＯ；ポリ−α−オレフィン基油）を用いる必要のない潤滑組成物を配合することが可能であることである。この種のＰＡＯを用いる欠点は、その製造コストが高く、ＰＡＯが比較的高いＣＯ２フットプリントであることである。
【００１４】
（基油が少なくともフィッシャー−トロプシュ由来基油を含み、本発明による潤滑油組成物に関する要件が満たされる場合は、）本発明による潤滑組成物で用いられる基油に関して特に限定はなく、様々な通常の鉱油、合成油および植物油などの天然に由来するエステルも、都合よく用いることができる。
【００１５】
本発明で用いられる基油は、（フィッシャー−トロプシュ由来基油に加えて）１種以上の鉱油および／または１種以上の合成油の混合物を含むのが好都合である。したがって、本発明によると、用語「基油」は、少なくとも１種のフィッシャー−トロプシュ由来基油を含む１種を超える基油を含む混合物を指すことができる。鉱油は、水素化精製法および／または脱蝋で精製することによってさらに精製してもよい、パラフィン、ナフテンまたはパラフィン／ナフテン混合タイプの液状の石油および溶媒処理または酸処理した鉱物性潤滑油を含む。
【００１６】
本発明の潤滑油組成物で使用される適切な基油は、Ｉ−ＩＩＩ群の鉱物性基油、ＶＩ群のポリα−オレフィン（ＰＡＯ）、Ｉ−ＩＩＩ群のフィッシャー−トロプシュ由来基油およびこれらの混合物である。基油（または１種を超える基油が用いられる場合は、基油混合物）は、ＩＩ群またはＩＩＩ群の基油、好ましくはＩＩＩ群の基油の要件（特にＶＩに関して、硫黄分および飽和炭化水素の含量）を満たすのが好ましい。
【００１７】
本発明において、「Ｉ群」、「ＩＩ群」、「ＩＩＩ群」および「ＩＶ群」の基油は、アメリカ石油協会（ＡＰＩ）のカテゴリーＩ、ＩＩ、ＩＩＩおよびＩＶの定義に従う潤滑油基油を意味する。これらのＡＰＩカテゴリーはＡＰＩ刊行物１５０９第１５版、付録Ｅ（２００２年４月）に定義されている。
【００１８】
フィッシャー−トロプシュ由来基油は当業界で知られている。用語「フィッシャー−トロプシュ由来」は、フィッシャー−トロプシュ法の合成生成物に由来する基油であることを意味する。フィッシャー−トロプシュ由来基油もＧＴＬ（ガスから液体の）基油と呼んでもよい。本発明の潤滑組成物で基油として都合よく用いることができる適切なフィッシャー−トロプシュ由来基油は、たとえばＥＰ０７７６９５９、ＥＰ０６６８３４２、ＷＯ９７／２１７８８、ＷＯ００／１５７３６、ＷＯ００／１４１８８、ＷＯ００／１４１８７、ＷＯ００／１４１８３、ＷＯ００／１４１７９、ＷＯ００／０８１１５、ＷＯ９９／４１３３２、ＥＰ１０２９０２９、ＷＯ０１／１８１５６およびＷＯ０１／５７１６６に開示されたようなものである。
【００１９】
合成油は、オレフィンオリゴマー（ポリα−オレフィン基油を含む；ＰＡＯ）、二塩基酸エステル、多価アルコールエステル、ポリアルキレングリコール（ＰＡＧ）、アルキルナフタレンおよび脱蝋したワックス状異性化物などの炭化水素油を含む。「Ｓｈｅｌｌ  ＸＨＶＩ」（商標）の名称でＳｈｅｌｌグループから販売されている合成炭化水素基油は、都合よく用いることができる。
【００２０】
ポリα−オレフィン基油（ＰＡＯ）およびこれらの製造は当業界で周知である。本発明の潤滑組成物で用いることができる好ましいポリα−オレフィン基油は、直鎖状のＣ２からＣ３２、好ましくはＣ６からＣ１６の、α−オレフィンに由来してもよい。前記ポリα−オレフィンのためのとりわけ好ましい供給材料は、１−オクタン、１−デケン、１−ドデケンおよび１−テトラデケンである。
【００２１】
ＰＡＯの高い製造コストを考慮すると、ＰＡＯ基油よりフィッシャー−トロプシュ由来基油を用いる方がはるかに好ましい。したがって、好ましくは、基油は、５０重量％を超え、好ましくは６０重量％を超え、より好ましくは７０重量％を超え、さらに好ましくは８０重量％を超え、最も好ましくは９０重量％を超えるフィッシャー−トロプシュ由来基油を含む。特に好ましい実施形態において、基油のうち５重量％以下、好ましくは２重量％以下が、フィッシャー−トロプシュ由来基油ではない。基油の１００重量％が１種以上のフィッシャー−トロプシュ由来基油に基づくことは、より一層好ましい。
【００２２】
本発明による特に好ましい実施形態によると、組成物は、ＩＶ群の基油の２０重量％未満、好ましくは１０未満、より好ましくは５未満、さらに好ましくは３未満、特に好ましくは２未満、より一層好ましくは１％未満、最も好ましくは０重量％のＩＶ群の基油を含む。
【００２３】
本発明の潤滑組成物に組込まれる基油の合計量は、潤滑組成物の全重量に関して、６０から９９．５重量％の範囲の量で存在するのが好ましく、より好ましくは６５から９８重量％の範囲の量、および最も好ましくは７０から９６重量％の範囲の量である。
【００２４】
本発明によると、基油は、好ましくは１００℃で少なくとも３．０ｃＳｔ（ＡＳＴＭ  Ｄ４４５準拠）、好ましくは少なくとも４．０ｃＳｔの動粘度を有している。通常、基油は１００℃で１０．０未満、好ましくは８．５未満、より好ましくは７．０ｃＳｔ未満、または５．５ｃＳｔ未満の動粘度を有している。基油が２種またはより多くの基油の混合物を含む場合、基油のこの動粘度への全寄与が、示す通りであることが好ましい（好ましくは少なくとも３．０ｃＳｔおよび通常１０．０ｃＳｔ未満など）。
【００２５】
上に述べたように、本発明による組成物は、−４０℃でのブルックフィールド粘度および１００℃での動粘度に対して特定の具体的な要件を満たす。
【００２６】
通常、組成物の１００℃での動粘度（ＡＳＴＭ  Ｄ４４５準拠）は、３．６から６．０ｃＳｔ、通常５．５ｃＳｔ未満の間にある。好ましくは、組成物の１００℃での動粘度は少なくとも３．７、好ましくは少なくとも３．９、より好ましくは少なくとも４．１、さらにより好ましくは少なくとも４．２、最も好ましくは少なくとも４．５ｃＳｔである。
【００２７】
通常、組成物の−４０℃でのブルックフィールド粘度は２０００から１０，０００ｍＰａｓの間で、より典型的には４０００ｍＰａｓを超える。好ましくは、組成物の−４０℃でのブルックフィールド粘度は９０００ｍＰａｓ未満で、好ましくは８０００ｍＰａｓ未満、より好ましくは７０００ｍＰａｓ未満、さらにより好ましくは６０００ｍＰａｓ未満である。
【００２８】
本発明による潤滑組成物は、組成物の全重量に基づいて、１．０重量％未満のＶＩ（粘度指数）向上剤を含む。当業者は、用語「ＶＩ向上剤」が意味するものを容易に理解する。
【００２９】
より具体的には、本発明による潤滑組成物は、少なくとも３００の平均分子量（特にＤＩＮ５５６７２−１によるゲルパーミエーションクロマトグラフィーで測定して）の分子量を有するＶＩ（粘度指数）向上剤を１．０重量％未満含み、ポリイソアルキレン成分のオレフィンコポリマー、ポリアルキルメタクリレート、スチレンマレイン酸エステルおよびこれらの組合せからなる群から選択される。当業者は、このようなＶＩ向上剤が意味するものを容易に理解し、この点において、ポリアルキルメタクリレートなどのいくつかのＶＩ向上剤が分散性にもまた効果を持ちうることが留意される。これらのＶＩ向上剤の例の具体的な記述については、ＥＰ−Ａ−１５８３１５８が参照され、その教示は引用により本明細書に包含される。
【００３０】
好ましくは、ＶＩ向上剤は１０００を超え、より好ましくは２５００を超え、さらにより好ましくは５０００を超える平均分子量を有する。
【００３１】
本発明の好ましい実施形態によると、組成物は、組成物の全重量に基づいて、０．５重量％未満、好ましくは０．１重量％未満、より好ましくは０．０５重量％未満のＶＩ向上剤を含み、最も好ましくはＶＩ向上剤を全く含まない。
【００３２】
さらに、組成物は、組成物の全重量に基づいて、流動点降下剤を、０．３重量％未満を含むことが好ましく、より好ましくは０．１重量％未満で、より好ましくは、流動点降下剤を全く含まない。
【００３３】
本発明による潤滑組成物の特に好ましい実施形態によると、ＣＥＣ−Ｌ−４５−Ａ−９９による２０時間のＫＲＬ試験で評価して、組成物は、５％未満、好ましくは２％未満で、より好ましくは１％未満、最も好ましくは０．５％未満の剪断損失を有する。ＣＥＣ−Ｌ−４５−Ａ−９９によって、伝達潤滑油（円錐ころ軸受装置により、またドイツ語の短縮形「ＫＬＲ」で表される）の粘度剪断安定度を測定する。
【００３４】
本発明による潤滑組成物は、抗酸化剤、耐摩耗性添加剤、（好ましくは無灰の）分散剤、清浄剤、極圧添加剤、摩擦改良剤、金属不活性化剤、防蝕剤、解乳化剤、消泡剤、シール適合性剤および添加剤希釈基油、などの１種以上の添加剤をさらに含む。
【００３５】
当業者は上記および他の添加剤に精通しているため、本明細書においてはさらに詳細に論じない。この種の添加剤の具体的な例は、たとえば、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版（１４巻）、４７７−５２６ページに述べられている。また、具体的言及は前述のＥＰ−Ａ−１５５３１５８になされており、その教示は引用により本明細書に包含される。
【００３６】
本発明の潤滑組成物は、基油（複数可）と１種以上の添加剤との混合により都合よく調製することができる。
【００３７】
前述の添加剤は、潤滑組成物の全重量に基づいて、通常、０．０１から３５．０重量％の範囲の量で、好ましくは０．０５から２５．０重量％、より好ましくは、潤滑組成物の全重量に基づいて、１．０から２０．０重量％の範囲の量、存在する。
【００３８】
別の態様において、本発明は、剪断安定度（特にＣＥＣ−Ｌ−４５−Ａ−９９による）および燃費の１つ以上を改善するために、本発明（特に伝達流体としての）による潤滑組成物の使用を提供する。好ましい剪断安定度は、限定的な剪断損失（ＡＳＴＭ  Ｄ４４５によって測定された動粘度１００℃における減少）をもたらす。典型的には、本発明による組成物の剪断損失は、５％未満、好ましくは２％未満、より好ましくは１．５％未満、さらに好ましくは１％未満または０．５％未満である。剪断損失は、ＡＳＴＭ  Ｄ４４５準拠粘度測定で、再現性のある測定はされないのが最も好ましい。
【００３９】
本発明は以下の実施例に関して下記に述べられるが、本発明の範囲の限定を意図するものでは決してない。
【実施例】
【００４０】
潤滑油組成物
自動変速装置、二段クラッチ変速装置、動力分配装置、パワーステアリング装置、油圧装置などで使用される実施可能な様々な伝達流体が配合された。
【００４１】
表１および２で示すように、十分に配合された伝達流体配合物（実施例１−５および比較例１−１３）の組成物および特性を試験した。成分の量は、十分に配合された配合物の全重量に基づいて、重量％で与えられる。
【００４２】
試験した伝達流体配合物はすべて、基油（または基油混合物）、添加剤パッケージ（この添加剤パッケージは試験したすべての組成物で同じだった）および消泡剤の組合せを含んでいた。比較例１２および１３はまたＶＩ向上剤を含んでいた。
【００４３】
「添加剤パッケージ」は伝達流体の特別の性能向上パッケージで、摩擦改良剤、抗酸化剤、抗さび剤、抗摩耗剤、分散剤および清浄剤を含む性能改善用添加剤の組合せを含んでいた。
【００４４】
「ＶＩ向上剤１」および「ＶＩ向上剤２」は通常のＶＩ向上剤で、たとえばＥｖｏｎｉｋ  ＲｏｈＭａｘ  Ａｄｄｉｔｉｖｅｓ  ＧｍｂＨ（Ｄａｒｍｓｔａｄｔ，独国）からそれぞれ、「Ｖｉｓｃｏｐｌｅｘ１２−４１０」および「Ｖｉｓｃｏｐｌｅｘ０−０５０」の取引名称で販売されている。
【００４５】
「基油１」は、１００℃（ＡＳＴＭ  Ｄ４４５）で約４ｃＳｔ（１ｃＳｔは１ｍｍ２ｓ−１に対応する）の動粘度を有しているフィッシャー−トロプシュ由来基油（「ＧＴＬ４」）であった。
【００４６】
「基油２」は、１００℃（ＡＳＴＭ  Ｄ４４５）で約５ｃＳｔの動粘度を有しているフィッシャー−トロプシュ由来基油（「ＧＴＬ５」）であった。
【００４７】
これらのＧＴＬ４およびＧＴＬ５基油はＩＩＩ群の要件を満たし、たとえば、国際公開第０２／０７０６３１号に記載され、その教示が引用により本明細書に包含される方法または類似する方法によって、都合よく製造することができる。
【００４８】
「基油３」および「基油４」は、市販のＩＩ群の基油であった。基油３および４は、Ｎｅｓｔｅ  Ｏｉｌ  Ｂ．Ｖ（Ｂｅｒｉｎｇｅｎ、ベルギー国）からそれぞれ「Ｎｅｘｂａｓｅ３０２０」および「Ｎｅｘｂａｓｅ３０３０」の取引名称で販売されている。
【００４９】
「基油５」は市販のＩＩＩ群の基油であった。基油５は、たとえばＮｅｓｔｅ  Ｏｉｌ  Ｂ．Ｖ（Ｂｅｒｉｎｇｅｎ、ベルギー国）「Ｎｅｘｂａｓｅ３０４３」の取引名称で販売されている。
【００５０】
「基油６」および「基油７」は市販のＩＩ群の基油であった。基油６および７はたとえば、ＳＫ  Ｅｎｅｒｇｙ（Ｕｌｓａｎ、韓国）からそれぞれ「Ｙｕｂａｓｅ  ３」および「Ｙｕｂａｓｅ３Ｌ」の取引名称で販売されている。
【００５１】
「基油８」は市販のＩＩＩ群の基油であった。基油８はたとえばＳＫ  Ｅｎｅｒｇｙ（Ｕｌｓａｎ、韓国）から「Ｙｕｂａｓｅ４」の取引名称で販売されている。
【００５２】
「基油９」は市販のＩＩ群の基油であった。基油９はたとえばＳ−Ｏｉｌ  Ｃｏｒｐｏｒａｔｉｏｎ（Ｏｎｓａｎ、韓国）から「Ｓ−Ｏｉｌ  Ｕｌｔｒａ３」の取引名称で販売されている。
【００５３】
「基油１０」は市販のＩＩ群の基油だった。基油１０はたとえばＳ−Ｏｉｌ  Ｃｏｒｐｏｒａｔｉｏｎ（Ｏｎｓａｎ、韓国）から「Ｓ−Ｏｉｌ  Ｕｌｔｒａ４」の取引名称で販売されている。
【００５４】
「基油１１」および「基油１２」は、市販のＩＩ群の基油だった。基油１１はたとえばＰｅｔｒｏ−Ｃａｎａｄａ（カナダ国）から「ＶＨＶＩ４」の取引名称で販売されている。基油１２はたとえばＳｈｅｌｌから「ＸＨＶＩ４．０」の取引名称で販売されている。
【００５５】
実施例１−５および比較例１−１３の組成物は、普通の潤滑油配合手順を用いて、基油を添加剤パッケージと混合することにより得られた。
【００５６】
【表１】
2010189639.tif 000002
【００５７】
【表２】
2010189639.tif 000003
2010189639.tif 000004
【００５８】
検討
表１から知ることができるように、本発明によると、驚いたことに、ＶＩ向上剤（および／または流動点降下剤）を含まずに、１００℃で少なくとも３．６ｃＳｔの動粘度および−４０℃で少なくとも１０，０００ｍＰａｓ未満のブルックフィールド粘度の厳しい条件を満たす伝達流体を配合するのが可能であることが見出された。
【００５９】
表２からわかるように、比較例１−１１は、実施例１−５の配合物と同じ添加剤パッケージ、およびフィッシャー−トロプシュ由来基油の代わりにＩＩ群および／またはＩＩＩ群の鉱物性基油を含むが、ＶＩ向上剤（または流動点降下剤の目的で添加されるＶＩ向上剤）を使用しないでは、上記の厳しい要件を満たさなかった。
【００６０】
ＶＩ向上剤が添加された比較例１２および１３は、１００℃での動粘度および−４０℃でのブルックフィールド粘度の上記の要件を満たすが、しかし望まれないレベルの剪断損失に終わった。それと反対に、表１からわかるように、実施例２および実施例４は非常に良好な剪断安定度を示し、剪断損失は全く見出されなかった。実施例１、３および５について剪断損失データをとらなかったが、類似した良好な値が予期される。
【００６１】
したがって、本発明による組成物がＶＩ向上剤の存在（または少なくとも相当なより少量）を必要としない程度に、組成物の剪断安定度は改良される。流体がポンプで送り込まれる応用分野において、この改善された剪断安定度は、より高い能力ポンプによる剪断損失を過剰補償する必要性を軽減または不要にさえし、したがってコストを下げ、最終的に燃費に寄与するものを有利にする。
【００６２】
また、本発明による組成物の低い動粘度および低いブルックフィールド粘度を考慮すると、低温での運転開始とポンプ動作、および高温での動作条件に関しても望ましい燃費特性を得ることができる。
【００６３】
上記でわかるのは、特にＩＩ群および／またはＩＩＩ群の鉱油を用いる類似した潤滑組成物と比較したとき、本発明による組成物が改善された剪断安定度特性だけでなく同時に望ましい燃費特性をも示すことである。
【００６４】
また、本発明による組成物は、望ましい引火点特性（ＤＩＮ  ＩＳＯ２５９２による）およびＮｏａｃｋ揮発性値（ＣＥＣ−Ｌ−４０−９３Ｂによる）をもたらすことが見出された。
【外国語明細書】
2010189639000001.pdf